(57)【要約】【課題】装着時の発汗を抑えるために手甲部に十分な通気性を持たせたスポーツ用手袋を提供する。【解決手段】手甲側を覆う手甲部１１、親指の手甲側を覆う親指手甲側部１２、掌側を覆う掌部１３、親指の掌側を覆う親指掌側部１４および緊締用の係止部１８でスポーツ用手袋１を構成し、手甲部１１の面ファスナーフック面１９ｂの領域に切り欠き領域を設け、面ファスナーフック面１９ｂの裏面をメッシュ状素材とし、面ファスナーフック面１９ｂを貫通する通気孔２１を設けたことを特徴とするスポーツ用手袋１。【選択図】　図１
2004097510.tif 000002
【特許請求の範囲】
【請求項１】
着用者の手を覆う手袋本体と手袋を緊締するための係止部とからなり、一対の固定用面ファスナーのうち、一方の面ファスナーを手袋本体手甲部に有し、他方の面ファスナーを係止部に有するスポーツ用手袋であって、手袋本体手甲部の面ファスナー領域に切り欠き領域を設けたことを特徴とするスポーツ用手袋。
【請求項２】
前記手袋本体手甲部の面ファスナーの裏面をメッシュ状素材で構成したことを特徴とする請求項１に記載のスポーツ用手袋。
【請求項３】
前記手袋本体手甲部の面ファスナーに通気孔を設けたことを特徴とする請求項１又は２に記載のスポーツ用手袋。
【発明の詳細な説明】
【０００１】
【発明の属する技術分野】
本発明は、装着時の発汗を抑えるために十分な通気性を持たせたスポーツ用手袋に関するものである。
【０００２】
【従来の技術】
従来より、ゴルフ用手袋、野球用手袋などのスポーツ用手袋は、天然皮革、人工皮革又は合成皮革等の素材で構成され、それらの素材を裁断した複数の部材（一般的には、手甲を覆う部分、掌を覆う部分、親指部分、面ファスナーを有する緊締用の係止部およびその他の部材）を縫着することにより作製される。
これらスポーツ用手袋に求められる性能としては、着脱容易性、装着時のフィット感、繰り返しの使用に対する耐久性、通気性、デザイン性等の様々な性能が挙げられる。中でも通気性に着目すると、前記の素材で手袋を構成した場合は素材そのものの通気が悪く、装着中に（特に夏場などは）発汗し易い。汗による不具合としては、着用者はべとつき等の不快感を感じ、むれ、かぶれを誘発することや、グリップの滑りや感触の悪化が挙げられる。他にも汗で濡れることで手袋の寿命が短くなることや汗によるしみ等で手袋の美観が損なわれるという不具合も挙げられる。
図３に示すように、通気性を確保するために手甲側の指部分に小さな通気孔６１を複数設けたスポーツ用手袋６０も一般的に見られるが、前記の小さな通気孔６１だけでは手袋全体に十分な通気性を得ることはできない。
【０００３】
手甲部全体の通気性を向上させた手袋としては、実公平８−７８８８号の考案に、面ファスナー係合時に手甲部７１内から係止用の舌状片７２までを貫通する丸孔が通気孔７３、７４として穿設されたスポーツ用手袋７０が開示されている。前記スポーツ用手袋を図４に示す。
【０００４】
【発明が解決しようとする課題】
前記実公平８−７８８８号の手袋は、面ファスナーを重ね合わせた状態で、丸穴パンチング機等を用いて舌状片７２から手甲部７１までを一度に貫通させて通気孔７３、７４を形成している。従って手袋を装着する際には、手甲部に設けた通気孔７３と舌状片に設けた通気孔７４とを上手く重ねる必要がある。従って、舌状片を強く締めた場合や緩く締めた場合、或いは繰り返しの使用で手袋が変形してしまった場合には、装着時に手甲部に設けた通気孔７３と舌状片に設けた通気孔７４とがうまく重ならず通気孔が閉じてしまい、手袋内の通気性が著しく低下するという不具合があった。
そこで本発明は、上記従来技術の問題点を解決し、装着時の発汗を抑えるために手甲部に十分な通気性を持たせたスポーツ用手袋を提供することを目的とする。
【０００５】
【課題を解決するための手段】
請求項１の発明は、着用者の手を覆う手袋本体と手袋を緊締するための係止部とからなり、一対の固定用面ファスナーのうち、一方の面ファスナーを手袋本体手甲部に有し、他方の面ファスナーを係止部に有するスポーツ用手袋であって、手袋本体手甲部の面ファスナー領域に切り欠き領域を設けたことを特徴とするスポーツ用手袋である。手袋本体手甲部の面ファスナー領域に切り欠き領域を設けることで、手袋本体の通気性が良くなる。
請求項２の発明は、前記手袋本体手甲部の面ファスナーの裏面をメッシュ状素材で構成したことを特徴とする請求項１に記載のスポーツ用手袋である。
請求項３の発明は、前記手袋本体手甲部の面ファスナーに通気孔を設けたことを特徴とする請求項１又は２に記載のスポーツ用手袋である。
手袋本体手甲部の面ファスナーの裏面をメッシュ状素材で構成し、通気孔を設けることで手袋本体の通気性が良くなる。
【０００６】
【発明の実施の形態】
以下、本発明の実施例を図１および図２を用いて説明する。図１および図２は左手用のスポーツ用手袋１を示しており、図１はスポーツ用手袋１を手甲側から見た図、図２はスポーツ用手袋１を掌側から見た図である。なお図２は説明のために太線部分で掌部１３および親指掌側部１４の一部を切り欠いた状態を示している。図中の破線は各縫着線を示している。
本実施例のスポーツ用手袋１は、手甲側を覆う手甲部１１、親指の手甲側を覆う親指手甲側部１２、掌側を覆う掌部１３および親指の掌側を覆う親指掌側部１４の４つの部材で着用者の手を覆う手袋本体１０を構成する。なお、本実施例では手袋本体１０を前記の４つの部材で構成したが、手袋本体の構成方法はこれに限定されるものではない。例えば、２つの部材（親指部分を一部材、掌甲部分を一部材）や３つの部材（親指部分を一部材、掌部分を一部材、手甲部分を一部材）、もしくは部位によってより細分化した多数の部材で手袋本体を構成してよい。
前記の各部材に用いる素材は天然皮革、合成皮革、人工皮革又は布帛等の伸縮性を有する任意の素材から適宜選択できるが、外観、強度および伸縮性を考慮すると、天然皮革、合成皮革が好ましい。本実施例では、手甲部１１、親指手甲側部１２、掌部１３および親指掌側部１４の４つの部材全てに合成皮革を用いた。本実施例では縫着によって前記の４つの部材を接合したが、それ以外にも接着、熱圧着、熱融着等の任意の接合方法を用いてよい。
【０００７】
手甲部１１の手首側には着脱を容易にするための切り込み１５が設けられ、手甲部１１の五指部分には通気性を良くするための小通気孔１６が設けられている。また装着時のフィット感を良くするために手袋本体の裏側（人体側）には、ゴム帯１７が千鳥縫いで縫着されている。
また、スポーツ用手袋１を装着する際に、挿入した手を緊締するための係止部１８が切り込み１５の小指側の縁に縫着されている。前記係止部１８と手甲部１１とは装着時に、ループ面とフック面からなる一対の面ファスナーによって固定される。前記ループ面とフック面の大きさは略同一である。本実施例では前記係止部１８に面ファスナーループ面１９ａが縫着され、手甲部１１の対応する領域に面ファスナーフック面１９ｂが縫着されている。これとは逆に係止部に面ファスナーフック面を縫着し、手甲部の対応する領域に面ファスナーループ面を縫着することも可能である。しかし、係止部に面ファスナーフック面を縫着すると以下のような不具合を生じる可能性があるので注意が必要である。第一に手袋本体の手甲部が布帛等で構成される場合、面ファスナーの着脱時に係止部の面ファスナーフック面が手甲部の布帛等に引っ掛ってしまいほつれ等が発生するという点が挙げられる。第二に手袋本体をはめたままで係止部だけを外して腕を動かした場合（例えば、係止部だけを外した状態で歩いた場合）、係止部が自由に動くので、係止部の面ファスナーフック面が長袖の上衣（特にニットなど）の袖先に引っ掛ってしまい、袖先にほつれ等が発生するという点が挙げられる。従って、本実施例のように係止部に面ファスナーループ面を縫着し、手甲部の対応する領域に面ファスナーフック面を縫着することが好ましい。
【０００８】
本実施例のスポーツ用手袋では、図２に示したように手甲部１１の面ファスナーフック面１９ｂの領域に切り欠き領域１１ａ（図２において斜線で示したメッシュ状素材２０が見えている領域）を設けている。この切り欠き領域１１ａにおいては手甲部１１を構成する天然皮革等の素材が排除されているので、スポーツ用手袋の通気性を良くすることができる。
【０００９】
本実施例のスポーツ用手袋１では、通気性をさらに良くするために、図２に示したように面ファスナーフック面１９ｂの裏面をメッシュ状素材２０としている。メッシュ状素材には、吸湿速乾性及び通気性に優れた素材を用いることが好ましい。本実施例ではメッシュ状素材として、フィールドセンサー（東レ株式会社登録商標）を用いた。切り欠き領域１１ａにおいてはメッシュ状素材２０が着用者の肌と接することになるので、着用者が発汗した場合でも吸湿速乾性に優れたメッシュ状素材によって、汗によるべとつきやむれ等を抑え肌触りを良くすることができる。
さらに本実施例のスポーツ用手袋１では、面ファスナーフック面１９ｂを貫通する通気孔２１を設けている。通気孔２１の数は図２では１４個であるが、もちろんこれに限定されるものではなく必要に応じて数は任意であってよい。より通気性が必要な場合はより多くの通気孔２１を設ければよい。通気孔２１の形状は円に限定されるものではなく楕円、多角形等任意であってよい。通気孔２１の大きさは、円の場合で直径１〜３ｍｍ程度が適当である。円以外の形状の場合でもそれと同等の大きさが適当である。前記のように通気孔２１の数、形状、大きさは必要に応じて任意であってよいが、面ファスナーの係止機能を阻害しない範囲である必要がある。
【００１０】
【発明の効果】
本発明のスポーツ用手袋では、手甲部の面ファスナーの領域に切り欠き領域（図２において斜線で示したメッシュ状素材が見えている領域）を設け、手甲部の面ファスナーの裏面を吸湿速乾性及び通気性に優れたメッシュ状素材としているので、着用者の手甲部分に十分な通気性を持たせ、汗によるべとつきやむれ等を抑えて肌触りを良くすることができる。
さらに手甲部の面ファスナーを貫通する通気孔を設けることで通気性をさらに良くすることができる。
【００１１】
【図面の簡単な説明】
【図１】図１は、本発明のスポーツ用手袋を手甲側から見た図である。
【図２】図２は、本発明のスポーツ用手袋を掌側から見た図である。（説明のために太線部分で掌部の一部を切り欠いた状態を示している。）
【図３】図３は、従来のスポーツ用手袋を示す図である。
【図４】図４は、従来の別のスポーツ用手袋を示す図である。
【符号の説明】
１　　スポーツ用手袋
１０　手袋本体
１１　手甲部
１１ａ　切り欠き領域
１２　親指手甲側部
１３　掌部
１４　親指掌側部
１５　切り込み
１６　小通気孔
１７　ゴム帯
１８　係止部
１９ａ　面ファスナーループ面
１９ｂ　面ファスナーフック面
２０　メッシュ状素材
２１　通気孔
６０　スポーツ用手袋
６１　通気孔
７０　スポーツ用手袋
７１　手甲部
７２　舌状片
７３　通気孔
７４　通気孔
【図１】
2004097510.tif 000003
【図２】
2004097510.tif 000004
【図３】
2004097510.tif 000005
【図４】
2004097510.tif 000006